(57)【要約】【課題】  施工費用及び施工時間を低減しつつ、実効性の高い断熱構造材等を提供する。【解決手段】  グラスウール等で構成された第１断熱層２の一方の面に、断熱塗料にて構成された第２断熱層３を直接的に一体化する。これにより、第２断熱層３にて熱の移動を抑制するとともに、第１断熱層２にて冷熱又は温熱を保温することができる。したがって、施工費用及び施工時間を低減しつつ、実効性の高い断熱構造材を得ることができる。外部からの熱を遮断する効果が高い上に、内部に熱が籠もることを抑制できるので、建築物の断熱構造や配管類の断熱構造に本考案を適用すると特に有効である。【選択図】図１
0003183733.tif 000002
【実用新案登録請求の範囲】
【請求項１】
熱の移動を抑制する断熱構造材において、
綿状の素材にて構成された第１断熱層と、
前記第１断熱層の一方の面に一体化された第２断熱層であって、セラミックを主成分とする断熱材にて構成された第２断熱層と
を備えることを特徴とする断熱構造材。
【請求項２】
前記第２断熱層は、セラミックを主成分とする断熱塗料にて構成されていることを特徴とする請求項１に記載の断熱構造材。
【請求項３】
前記第１断熱層は、グラスウールにて構成されていることを特徴とする請求項１又は２に記載の断熱構造材。
【請求項４】
前記第２断熱層の厚み寸法は、０．０２ｍｍ以上、３ｍｍ以下であることを特徴とする請求項１ないし３のいずれか１項に記載の断熱構造材。
【請求項５】
前記第２断熱層は、塗布又は吹き付け塗装にて構成されたことを特徴とする請求項１ないし４のいずれか１項に記載の断熱構造材。
【請求項６】
請求項１ないし５のいずれか１項に記載の断熱構造材を用いた断熱構造であって、
前記第１断熱層が断熱をすべき対象側に位置していることを特徴とする断熱構造。
【考案の詳細な説明】
【技術分野】
【０００１】
本考案は、断熱構造材、及び当該断熱構造材を用いた断熱構造に関する。
【背景技術】
【０００２】
例えば、特許文献１に記載の考案では、風雨に直接晒される外装層を断熱塗料とし、室内側にグラスウールにより構成された断熱材を配設するとともに、外装層と断熱材との間にコンクリート層を設けている。
【先行技術文献】
【特許文献】
【０００３】
【特許文献１】特開２００２−１８８２２２号公報
【考案の概要】
【考案が解決しようとする課題】
【０００４】
しかし、特許文献１に記載の考案では、外装層と断熱材との間にコンクリート層を設けているので、施工費用及び施工時間を要するという問題がある。
本考案は、上記点に鑑み、施工費用及び施工時間を低減しつつ、実効性の高い断熱構造材等を提供することを目的とする。
【課題を解決するための手段】
【０００５】
本考案は、上記目的を達成するために、熱の移動を抑制する断熱構造材において、綿状の素材にて構成された第１断熱層（２）と、第１断熱層（２）の一方の面に一体化された第２断熱層であって、セラミックを主成分とする断熱材にて構成された第２断熱層（３）とを備えることを特徴とする。
【０００６】
これにより、本考案では、第１断熱層（２）の一方の面に第２断熱層（３）が直接的に一体化された構造であって、第１断熱層（２）と第２断熱層（３）との間にコンクリート層が無い構造となる。
【０００７】
そして、セラミックを主成分とする第２断熱層（３）にて熱の移動を抑制するとともに、綿状の第１断熱層（２）にて冷熱又は温熱を保温することができる。したがって、施工費用及び施工時間を低減しつつ、実効性の高い断熱構造材を得ることができる。
【０００８】
特に、本考案では、外部からの熱を遮断する効果が高い上に、内部に熱が籠もることを抑制できるので、建築物の断熱構造や配管類の断熱構造に本考案を適用すると有効である。
【０００９】
因みに、上記各手段等の括弧内の符号は、後述する実施形態に記載の具体的手段等との対応関係を示す一例であり、本考案は上記各手段等の括弧内の符号に示された具体的手段等に限定されるものではない。
【図面の簡単な説明】
【００１０】
【図１】本考案の実施形態に係る断熱構造材及び断熱構造の模式図である。
【考案を実施するための形態】
【００１１】
以下に説明する「考案の実施形態」は実施形態の一例を示すものである。つまり、実用新案登録請求の範囲に記載された考案特定事項等は、下記の実施形態に示された具体的手段や構造等に限定されるものではない。以下、本考案の実施形態を図面と共に説明する。
【００１２】
１．断熱構造及び断熱構造
図１は、本実施形態に係る断熱構造１を建築物の断熱構造に用いた例である。断熱構造１は、第１断熱層２及び第２断熱層３を有している。断熱構造１は、断熱をすべき対象である室内側に第１断熱層２が位置し、室外側に第２断熱層３が位置するように施工される。
【００１３】
第１断熱層２は、グラスウール等の綿状の素材にて構成されている。第２断熱層３は、第１断熱層２の一方の面に一体化された断熱層である。第２断熱層３は、断熱塗料等のセラミックを主成分とする断熱材にて構成されている。
【００１４】
なお、本実施形態に係る第２断熱層３は、「火砕流堆積物素材（シラス）」を主たる原材料とした耐熱塗料である。具体的には、シラスを高熱処理してセラミックス化して発泡バルーン状とした超微細粒子を主成分とした耐熱塗料である。当該超微粒子は、アルミの珪酸塩ガラスからなる中空球体である。
【００１５】
そして、本実施形態に係る第２断熱層３は、断熱塗料が塗布又は吹き付け等により塗装にされて第１断熱層２に直接形成されている。第２断熱層３の厚み寸法Ｔ２は、０．０２ｍｍ以上、３ｍｍ以下である。そして、本実施形態では、第２断熱層３の厚みＴ２は、０．１ｍｍ以上、３ｍｍ以下である。
【００１６】
なお、望ましくは、当該厚み寸法Ｔ２は、０．１ｍｍ以上、２ｍｍ以下であり、さらに、望ましくは、厚み寸法Ｔ２は、０．４ｍｍ以上、１ｍｍ以下である。第１断熱層２の厚み寸法Ｔ１は、少なくとも８ｍｍあればよい。なお、第１断熱層２の厚みＴ１が厚い程、断熱効果が向上するが、実用上、厚みＴ１は１００ｍｍあれば十分である。
【００１７】
２．断熱構造及び断熱構造の特徴
本実施形態では、第１断熱層２の一方の面に第２断熱層３が直接的に一体化された構造であって、第１断熱層２と第２断熱層３との間にコンクリート層が無い構造となる。
【００１８】
そして、第２断熱層３にて熱の移動を抑制するとともに、第１断熱層２にて冷熱又は温熱を保温することができる。したがって、施工費用及び施工時間を低減しつつ、実効性の高い断熱構造材を得ることができる。
【００１９】
これにより、室外からの熱を効果的に遮断することができるとともに、室内に熱が籠もることを抑制できる。したがって、昼夜に亘って空調装置の消費電力を抑制でき、経済的である。
【００２０】
（その他の実施形態）
上述の実施形態では、断熱塗料を塗布又は吹き付け等により第１断熱層２に塗装することにより第２断熱層３を構成したが、本考案はこれに限定されるものではなく、例えば、セラミックを主成分とするシート状の断熱材を第１断熱層２に貼り付ける等して第２断熱層３を構成してもよい。
【００２１】
上述の実施形態では、第１断熱層２の一方の面のみに第２断熱層３が設けられていたが、本考案はこれに限定されるものではなく、第１断熱層２の他方の面にも第２断熱層３を設け、第１断熱層２の表裏両面に第２断熱層３が設けられた構成としてもよい。
【００２２】
上述の実施形態では、断熱構造１を建築物の断熱構造に適用したが、本考案はこれに限定されるものではなく、例えば配管やダクト等の断熱構造材にも適用できる。この場合には、配管やダクト側を第１断熱層２とし、雰囲気側を第２断熱層３とする。
【００２３】
上述の実施形態では、断熱をすべき対象である室内側に室外側から熱が移動することを抑制するものであったが、本考案はこれに限定されるものではなく、例えば、室内側から室外側に熱が移動することを抑制するものにも適用できる。
【００２４】
なお、この際、第２断熱層３は高温側に位置することが望ましい。したがって、熱の移動方向が双方向である場合には、第１断熱層２の表裏両面に第２断熱層３が設けられた構成とすることが望ましい。
【００２５】
上述の実施形態では、第１断熱層２としてグラスウールを用いたが、本考案はこれに限定されるものではなく、綿状の素材であれば、グラスウールに限定されない。
また、本考案は、実用新案登録請求の範囲に記載された考案の趣旨に合致するものであればよく、上述の実施形態に限定されるものではない。
【符号の説明】
【００２６】
１… 断熱構造  ２… 第１断熱層  ３… 第２断熱層
【図１】
0003183733.tif 000003